(57)【要約】  【課題】  内部機器や分岐用端子と筐体との間の絶縁性能を満足させつつ装置全体の小型化を図ることができるバスダクト用プラグイン器具を提供する。  【解決手段】  プラグイン器具１０は、内部機器１１と、内部機器１１の端子に接続された分岐用端子１２（１２ａ〜１２ｃ）と、分岐用端子１２（１２ａ〜１２ｃ）を固定する基台１３とを備えている。また、基台１３は絶縁性材料により形成され、内部機器１１と基台１３とは直接的に接触して一体的に形成されている。さらに好適には、基台１３に絶縁性材料により形成されたカバー部材を取り付けることにより、カバー部材の軽量化とバスダクト用プラグイン器具の小型化・軽量化を同時に図る。  【選択図】  図１
2005229656.tif 000002
【特許請求の範囲】
【請求項１】
バスダクト内の導体に接続される分岐用端子と、
該分岐用端子に連結された内部機器と、
前記分岐用端子および前記内部機器を固定する基台とを備え、
前記分岐用端子は前記基台から突出している
バスダクト用プラグイン器具において、
前記基台は絶縁性材料により形成され、
前記内部機器と前記基台とは直接的に接触して一体的に形成されてなる
ことを特徴とするバスダクト用プラグイン器具。
【請求項２】
前記基台には、絶縁性材料により形成されたカバー部材が取り付けられていることを特徴とする、請求項１記載のバスダクト用プラグイン器具。
【発明の詳細な説明】
【技術分野】
【０００１】
本発明は、バスダクト用プラグイン器具に関する。
【背景技術】
【０００２】
バスダクト用プラグイン器具は、バスダクトに接続して配線を分岐するために用いられる。従来のプラグイン器具は、バスダクト内の導体と接続される分岐用端子、この分岐用端子と連絡導体で連結された配線用遮断器（ブレーカ）等の内部機器、および分岐用端子を支持する絶縁板を備えるとともに、これらを収容する金属製の筐体（プラグインボックス）から構成されている。また、部品数を減らすために、分岐用端子を内部機器の端子に直接取り付けたプラグイン器具が知られている（特許文献１参照）。なお、従来のプラグイン器具は特許文献１の図４に、分岐用端子を内部機器の端子に直接取り付けたプラグイン器具は特許文献１の図１にそれぞれ示されている。
【０００３】
【特許文献１】実開平５−８４１３０号公報（実用新案登録の請求の範囲、図１、図４参照）
【発明の開示】
【発明が解決しようとする課題】
【０００４】
ところで、特許文献１は、あくまでも分岐用導体を内部機器の端子に直接取り付ける技術に関する文献であり、プラグインボックス内の分岐用導体の配置などについては言及がない。例えば、特許文献１の図１に示される構造をプラグインボックスに収容すると、図７に示されるような構造となる。図７において、内部機器７１に取り付けられた分岐用端子７２ａ〜７２ｃは、プラグインボックス７３の絶縁板７４からその先端側が突出した状態で取り付けられており、プラグインボックス７３の絶縁板７４以外の部分は金属板（具体的には塗装された鉄板など）で構成されている。
【０００５】
図７に例示された上記構成のプラグイン器具においては、内部機器７１や分岐用端子７２ａ〜７２ｃとプラグインボックス７３との間に間隙Ｔが形成される。この間隙Ｔは、内部機器７１や分岐用端子７２ａ〜７２ｃとプラグインボックス７３との絶縁性を確保するために必要であり、プラグイン器具の小型化を妨げる大きな要因となっていた。すなわち、プラグイン器具のさらなる小型化のためには、プラグインボックスを含めた全体の構造の再検討が必要となる。
【０００６】
そこで、本発明は、内部機器や分岐用端子と筐体との間の絶縁性能を満足させつつ装置全体の小型化を図ることができるバスダクト用プラグイン器具を提供することを目的とする。
【課題を解決するための手段】
【０００７】
請求項１の発明は、バスダクト内の導体に接続される分岐用端子と、該分岐用端子に連結された内部機器と、前記分岐用端子および前記内部機器を固定する基台とを備え、前記分岐用端子は前記基台から突出しているバスダクト用プラグイン器具において、前記基台は絶縁性材料により形成され、前記内部機器と前記基台とは直接的に接触して一体的に形成されてなることを特徴とする。
【０００８】
請求項２の発明は、請求項１の発明において、前記基台には、絶縁性材料により形成されたカバー部材が取り付けられていることを特徴とする。
【発明の効果】
【０００９】
本発明のバスダクト用プラグイン器具は、分岐用端子および内部機器を固定する基台が絶縁性材料により形成され、この基台と内部機器とが直接的に接触して一体的に形成されてなるため、部品数が必要最小限となり製造コストの低減が実現されるとともに、小型化を実現することができる。
【００１０】
さらに、基台に絶縁性材料により形成されたカバー部材が取り付けられることにより、内部機器や分岐用端子とカバー部材との間の絶縁距離を考慮する必要がなくなるとともにカバー部材の軽量化が図られ、バスダクト用プラグイン器具の小型化・軽量化を好適に実現することができる。
【発明を実施するための最良の形態】
【００１１】
本発明を実施するための形態を説明する。
【００１２】
図１は、本発明の実施の形態に係るバスダクト用プラグイン器具の第１例を示す図であって、（ａ）は上面図、（ｂ）は正面図、（ｃ）は側面図である。
【００１３】
図１において、プラグイン器具１０は、内部機器１１と、内部機器１１の端子に接続された分岐用端子１２（１２ａ〜１２ｃ）と、分岐用端子１２（１２ａ〜１２ｃ）を固定する基台１３とを備えている。分岐用端子１２（１２ａ〜１２ｃ）は基台１３から図の下方へ突出しており、図示しないバスダクト内の導体と接続されるようになっている。
【００１４】
また、基台１３は絶縁性材料により形成され、内部機器１１と基台１３とは直接的に接触して一体的に形成されている。ここで、「直接的に接触」とは、実質的に直接接触するような意味合いであり、内部機器１１と基台１３との間に薄いシート状の物体、例えば粘着シートや緩衝材などを配置したものも本発明の実施の形態に含まれる。
【００１５】
このようにプラグイン器具１０を構成することで、部品数が必要最小限となり製造コストの低減が実現されるとともに、内部機器１１と基台１３とを離間する必要がなくなり、プラグイン器具１０の小型化を実現することができる。
【００１６】
なお、図１において、内部機器１１として３線式のブレーカが図示されているが、内部機器１１は当然これには限られない。また、基台１３を形成する絶縁性材料は、例えばポリエステルが耐トラッキング性の観点から望ましく、要求特性によっては他の絶縁性材料を選択することもできる。さらに、内部機器１１の一部が基台１３に嵌め込まれるようにしてもよい。
【００１７】
ところで、図１に例示したプラグイン器具１０は、分岐用端子１２（１２ａ〜１２ｃ）の形状が刃状となっており、この場合にはバスダクト内の導体接続部の形状がクリップ状となっていることが一般的である。逆に、バスダクト内の導体接続部の形状が刃状などの場合には、プラグイン器具の分岐用端子の形状をクリップ状にすることもできる。
【００１８】
図２は、本発明の実施の形態において用いられる分岐用端子の他の例を示す図であって、（ａ）は側面図、（ｂ）は正面図である。
【００１９】
図２において、２１はクリップ状の分岐用端子である。この分岐用端子２１は、図１に例示された分岐用端子１２（１２ａ〜１２ｃ）と同様に使用することができる。
【００２０】
図３は、本発明の実施の形態に係るバスダクト用プラグイン器具の第２例を示す図であって、（ａ）は上面図、（ｂ）は正面図、（ｃ）は側面図である。
【００２１】
図３において、プラグイン器具３０は、内部機器３１と、内部機器３１の端子に接続された分岐用端子３２（３２ａ〜３２ｃ）と、分岐用端子３２（３２ａ〜３２ｃ）を固定する基台３３とを備えている。この分岐用端子３２（３２ａ〜３２ｃ）は、図１に例示された分岐用端子１２（１２ａ〜１２ｃ）の形状を図２に例示された分岐用端子２１の形状に変更したものである。それ以外の要素は、図１に示されたプラグイン器具１０と同様であるため、説明を省略する。
【００２２】
図１および図３に例示されたプラグイン器具１０、３０は、必要最小限の構成を示しており、実際には図７に示された従来例と同様に箱状とすることができる。以下、本発明のバスダクト用プラグイン器具に好適に使用できるカバー部材について説明する。
【００２３】
図４は、本発明の実施の形態において用いられるカバー部材を示す斜視図であって、（ａ）は基本例の一例、（ｂ）は応用例の一例である。
【００２４】
図４（ａ）（ｂ）において、４１は絶縁性材料により形成されたカバー部材、４２は開口部である。カバー部材４１を形成する絶縁性材料は、例えばポリカーボネイトが強度および耐熱性の観点から望ましく、要求特性によっては他の絶縁性材料を選択することもできる。カバー部材４１が絶縁性材料により形成されることにより、内部機器や分岐用端子とカバー部材４１との間の絶縁距離を考慮する必要がなくなるとともに、カバー部材４１の軽量化が図られる。なお、カバー部材４１の色は、カバー部材４１を形成する絶縁性材料に依存し、例えばポリカーボネイトを用いた場合には透明となるが、当然透明なものには限られない。
【００２５】
なお、開口部４２は、プラグイン器具の内部機器に接続されたケーブルを引き出すために設けられるが、この開口部４２は必須の構成ではなく、例えばプラグイン器具の基台に開口部を設けた場合にはカバー部材４１に開口部４２を設ける必要はない。
【００２６】
ところで、カバー部材４１は、複数の部分に分割可能に構成することもできる。例えば、図４（ｂ）に示すように、カバー部材４１は２つの部分４１ａ、４１ｂに分割可能となっている。この場合はカバー部材４１の部分４１ｂに開口部４２が設けられている。このようにカバー部材４１を構成すると、あらかじめカバー部材の部分４１ａを取り付け、プラグイン器具の内部機器にケーブルを接続した後にカバー部材の部分４１ｂを取り付けることなどができる。
【００２７】
ここで、図４（ａ）（ｂ）に例示されたカバー部材４１をプラグイン器具１０、３０に取り付けた状態について説明する。図５は本発明の実施の形態に係るバスダクト用プラグイン器具にカバー部材が取り付けられた状態の一例を示す斜視図である。
【００２８】
図５において、プラグイン器具５０は、内部機器５１と、内部機器５１の端子に接続された分岐用端子５２（５２ａ〜５２ｃ）と、分岐用端子５２（５２ａ〜５２ｃ）を固定する基台５３とを備え、さらにカバー部材５４が取り付けられている。カバー部材５４は、図４（ａ）に例示されたカバー部材４１と同様の構成であって、内部機器５１に接続された図示しないケーブルを引き出すために開口部５５が設けられている。
【００２９】
なお、図５における内部機器５１、分岐用端子５２（５２ａ〜５２ｃ）、基台５３については、図１または図３に例示されたプラグイン器具１０、３０と同様の構成であり、カバー部材５４については、図４（ａ）に例示されたカバー部材４１と同様の構成であるため、説明を省略する。また、カバー部材５４を基台５３に取り付ける構造については、任意の構造とすることができる。
【００３０】
次に、図４（ｂ）に例示されたカバー部材４１の部分４１ａをプラグイン器具１０、３０に取り付けた状態について説明する。図６は、本発明の実施の形態に係るバスダクト用プラグイン器具にカバー部材の一部が取り付けられた状態の一例を示す斜視図である。
【００３１】
図６に示されたプラグイン器具６０は、内部機器６１と、分岐用端子６２（６２ａ〜６２ｃ）と、基台６３とを備えており、これらの構成は図５に示されたプラグイン器具５０と同様である。
【００３２】
図６に示されたプラグイン器具６０には、さらにカバー部材６４ａが取り付けられている。このカバー部材６４ａは、図４（ｂ）に例示されたカバー部材の部分４１ａと同様の構成であり、この点が図５に示されたプラグイン器具５０と異なる。
【００３３】
図６に示された状態から、例えば内部機器６１に図示しないケーブルを接続した後に図４（ｂ）に例示されたカバー部材の部分４１ｂを取り付けることにより、図５に示されたプラグイン器具５０と同様の状態とすることができる。図６に示された状態では、内部機器６１のケーブルの接続や取り外しなどの作業ができるため、メンテナンス作業の効率が向上するなどの利点がある。
【００３４】
なお、図６における内部機器６１、分岐用端子６２（６２ａ〜６２ｃ）、基台６３については、図１または図３に例示されたプラグイン器具１０、３０と同様の構成であり、カバー部材６４ａについては、図４（ａ）に例示されたカバー部材の部分４１ａと同様の構成であるため、説明を省略する。また、カバー部材６４ａを基台６３に取り付ける構造については、任意の構造とすることができる。
【００３５】
ここで、図５および図６に示されたプラグイン器具５０、６０のカバー部材５４、６４ａは内部機器５１、６１を収容するような形状となっているが、これらはあくまでも例示であり、カバー部材５４、６４ａは内部機器５１、６１と分岐用端子５２（５２ａ〜５２ｃ）、６２（６２ａ〜６２ｃ）を必要最小限のスペースで覆うような形状であってもよい。
【００３６】
また、図５および図６に示されたプラグイン器具５０、６０のカバー部材５４、６４ａが絶縁性材料により形成されているため、内部機器５１、６１や分岐用端子５２（５２ａ〜５２ｃ）、６２（６２ａ〜６２ｃ）とカバー部材５４、６４ａとの間の絶縁距離を考慮する必要がなくなるとともにカバー部材５４、６４ａの軽量化が図られ、プラグイン器具５０、６０の小型化・軽量化を好適に実現することができる。
【００３７】
以上、本発明の実施の形態について説明したが、本発明の実施の形態は上述した具体例に限られるものではなく、特許請求の範囲に記載された事項の範囲内で適宜変更することが可能であることはいうまでもない。
【図面の簡単な説明】
【００３８】
【図１】本発明の実施の形態に係るバスダクト用プラグイン器具の第１例を示す図であって、（ａ）は上面図、（ｂ）は正面図、（ｃ）は側面図である。
【図２】本発明の実施の形態において用いられる分岐用端子の他の例を示す図であって、（ａ）は側面図、（ｂ）は正面図である。
【図３】本発明の実施の形態に係るバスダクト用プラグイン器具の第２例を示す図であって、（ａ）は上面図、（ｂ）は正面図、（ｃ）は側面図である。
【図４】本発明の実施の形態において用いられるカバー部材を示す斜視図であって、（ａ）は基本例の一例、（ｂ）は応用例の一例である。
【図５】本発明の実施の形態に係るバスダクト用プラグイン器具にカバー部材が取り付けられた状態の一例を示す斜視図である。
【図６】本発明の実施の形態に係るバスダクト用プラグイン器具にカバー部材の一部が取り付けられた状態の一例を示す斜視図である。
【図７】従来のバスダクト用プラグイン器具の一例を示す側面図である。
【符号の説明】
【００３９】
１０、３０、５０、６０  プラグイン器具
１１、３１、５１、６１  内部機器
１２（１２ａ〜１２ｃ）、３２（３２ａ〜３２ｃ）、５２（５２ａ〜５２ｃ）、６２（６２ａ〜６２ｃ）  分岐用端子
１３、３３、５３、６３  基台
２１  分岐用端子
４１、５４  カバー部材
４１ａ、４１ｂ、６４ａ  カバー部材の部分
４２、５５  開口部
【図１】
2005229656.tif 000003
【図２】
2005229656.tif 000004
【図３】
2005229656.tif 000005
【図４】
2005229656.tif 000006
【図５】
2005229656.tif 000007
【図６】
2005229656.tif 000008
【図７】
2005229656.tif 000009